(57)【特許請求の範囲】
【請求項１】
カバーを装置に接続するための蝶番組立体において、
円形部分と、互いに略平行な一対の細長い部分とを有する片寄せ手段と、
前記片寄手段の前記円形部分を設置柱上に配置することによって、前記片寄せ手段がその上に設置される前記設置柱を有するボス部材付き取付け板と、
前記装置の側壁の孔を通って延び、相補形状の雄型及び雌型コネクタを用いて前記カバーに接続され、前記設置された前記片寄せ手段の前記細長い部分によって挟まれるカム手段を有する接続部材とを備え、
前記カム手段を挟むことによって、前記カバーは閉じられているときには開かれることが妨げられ、前記カバーは開かれているときには閉じられることが妨げられることを特徴とする蝶番組立体。
【請求項２】
前記片寄せ手段が捻りばねを有することを特徴とする請求項１に記載の蝶番組立体。
【請求項３】
前記ボス部材付き取付け板は、前記側壁の前記孔よりも小さく前記側壁の前記孔と整列する孔を有し、
前記接続部材は両方の前記孔を通ることを特徴とする請求項１に記載の蝶番組立体。
【請求項４】
前記設置柱は、前記捻りばねが前記設置柱から不意に離れるのを妨げる拡大部分を有することを特徴とする請求項１に記載の蝶番組立体。
【請求項５】
前記カバー接続部材の前記カム手段が第１および第２の対になった対向する平行の表面を有することを特徴とする請求項１に記載の蝶番組立体。
【請求項６】
前記第１の対になった対向する平行の表面が、前記第２の対になった対向する平行の表面に対して垂直になっていることを特徴とする請求項５に記載の蝶番組立体。
【請求項７】
第１および第２の表面がそれぞれ曲がった接合表面により接合されることを特徴とする請求項５に記載の蝶番組立体。
【請求項８】
前記接続部材が、前記側壁の前記孔に嵌入し、前記ボス部材付き取付け板の前記孔には嵌入しない第１の拡大部分を有することを特徴とする請求項３に記載の蝶番組立体。
【請求項９】
前記接続部材は、前記カム手段に隣接して前記側壁及び前記ボス部材付き取付け板の孔を通る第２の拡大部分を有し、
前記カム手段が前記片寄せ部材の前記細長い部分によって挟まれているときに、前記第２の拡大部分は、前記接続部分が前記側壁及び前記ボス部材付き取付け板の前記孔から外れるのを妨げることを特徴とする請求項８に記載の蝶番組立体。
【請求項１０】
前記接続部材は、前記カバーを開けるとき及び閉じるときに、前記ボス部材付き取付け板の前記孔に嵌入しそこで回転する第１の円筒部分を有することを特徴とする請求項８に記載の蝶番組立体。
【請求項１１】
前記接続部材は、前記カバーを開けるとき及び閉じるときに、前記側壁の前記孔に嵌入しそこで回転する第２の円筒部分を有することを特徴とする請求項１０に記載の蝶番組立体。
【請求項１２】
前記第１の円筒形部分が前記カム手段に隣接して配置されることを特徴とする請求項１０に記載の蝶番組立体。
【請求項１３】
前記第１の円筒形部分の直径が前記第２の円筒形部分の直径と比較して小さいことを特徴とする請求項１０に記載の蝶番組立体。
【請求項１４】
雄型コネクタが前記カバーに配置され、十字形または一の字形の断面を有することを特徴とする請求項１に記載の蝶番組立体。
【請求項１５】
前記カバーに配置される前記コネクタは、前記カバーから突出する柔軟な蝶番部材に配置されることを特徴とする請求項１に記載の蝶番組立体。
【請求項１６】
前記ボス部材および前記カバー接続部材がプラスチック材料から作られることを特徴とする請求項１に記載の蝶番組立体。
【請求項１７】
対向する側壁を有する装置と、少なくとも一つの蝶番組立体によって前記装置に接続されるように構成されるカバーと、を備える組立体において、
前記少なくとも一つの蝶番組立体が、円形部分及び二つの細長い部分を有する捻りばねと、
孔、及び前記捻りばねがその上に取付けられる設置柱を有するボス部材付き取付け板と、
前記装置の側壁の孔、及び前記ボス部材付き取付け板の前記孔を通って延び、相補形状の雄型及び雌型コネクタを用いて前記カバーに接続され、前記設置された前記捻りばねの前記細長い部分によって挟まれるカム手段を有する接続部材とを備え、
前記カム手段を挟むことによって、前記カバーは閉じられているときには開かれることが妨げられ、前記カバーは開かれているときには閉じられることが妨げられることを特徴とする組立体。
【請求項１８】
一対の蝶番組立体が前記カバーを前記装置に接続するために設けられることを特徴とする請求項１７に記載の組立体。
【請求項１９】
カバーを装置に接続するための蝶番組立体において、
前記カバーは完全に開いた位置と完全に閉じた位置との間を移動するように構成され、
前記蝶番組立体は、
前記カバーに接続され、前記装置の側壁の孔を通って延び、相補形状の雄型及び雌型コネクタを用いて前記カバーに接続される接続部材と、
前記側壁の内側に取り付けられ、円形部分と、互いに略平行に延びる一対の細長い部分とを有する片寄せ手段とを備え、
前記片寄せ手段の前記細長い部分が前記接続部分のカム手段を挟み、これにより、前記カバーを、前記接続部材の向きにより、前記完全に開いた位置または前記完全に閉じた位置のいずれかの方に片寄せることを特徴とする蝶番組立体。
【請求項２０】
前記片寄せ手段が捻りばねを有することを特徴とする請求項１９に記載の蝶番組立体。
【請求項２１】
前記カム手段が中立位置またはトグル位置を有し、前記カム手段が中立位置またはトグル位置を越えて回転すれば、前記カバー接続手段が前記カバーを完全に開いた位置に移動させることを特徴とする請求項１９に記載の蝶番組立体。
【請求項２２】
前記カム手段の前記中立位置またはトグル位置が、前記カム手段のカム面が、前記カバー接続部材の一部に係合する片寄せ手段の一部に略平行に伸びる仮想水平線に対して略９０度の角度に設置されたとき生ずることを特徴とする請求項２１に記載の蝶番組立体。
【請求項２３】
前記カバーが完全に開いた位置にあるとき、前記カバーが前記仮想水平線に対して略１２０度の角度にあることを特徴とする請求項２２に記載の蝶番組立体。
【請求項２４】
前記対向する側壁の少なくとも一方の外側に取付けられ、前記カバーが必要とされる完全に開いた位置に到達したら、前記カバーが移動しないようにするストッパを有することを特徴とする請求項１９に記載の蝶番組立体。
【請求項２５】
前記カバー接続部材が、前記装置を保持するように設けられた枠の側壁に形成された孔に取付けられるよう構成されることを特徴とする請求項１９に記載の蝶番組立体。
【請求項２６】
カバーを装置に接続するための蝶番組立体において、
前記装置は第１及び第２の対になった対向する側壁を有しており、
前記蝶番組立体は、
前記第１の側壁の一つに取り付けられるように構成されるボス部材付き取付け板と、
前記ボス部材付き取付け板に取り付けられるように構成される片寄せ手段と、
前記第１の側壁の一つに形成された孔を通って延び、前記片寄せ手段によって挟まれるカム手段を有する接続部材と、を有しており、
前記接続部材は、相補形状の雄型及び雌型コネクタを用いて前記カバーに接続され、
前記カム手段を挟むことによって、前記カバーは閉じられているときには開かれることが妨げられ、前記カバーは開かれているときには閉じられることが妨げられることを特徴とする蝶番組立体。
【請求項２７】
前記ボス部材付き取付け板は、前記接続部材の前記カム手段が通って突き出すことができる寸法の孔を有していることを特徴する請求項２６に記載の蝶番組立体。
【発明の詳細な説明】
【０００１】
【発明の属する技術分野】
本発明は、カバー用蝶番組立体に関し、更に詳細には、カバーを携帯情報端末または類似品の枠に接続するのに使用される蝶番組立体に関する。
【０００２】
【従来の技術】
ほとんどの携帯情報端末（ＰＤＡ）は、その画面上にその損傷を防止するプラスチック保護カバーを備えている。このようなカバーを使用するとき、カバーを開いた位置または閉じた位置に確実に保持できることが重要である。この目的で、ＰＤＡ用の或るカバー装置は、カバーを所要の開いた位置または閉じた位置に保持する留め具またはストッパを備えている。しかし、終始かつ連続使用とともにこれら留め具は磨耗して、それにより、カバーが開いた位置に保持されない傾向がある。これは、カバーが脱落するとユーザのＰＤＡ画面が見難くなるのでユーザにとって非常に悩みの種である。
【０００３】
米国特許第５,９９６,１７８号は、折畳み式の電子装置に使用するのに適した蝶番について記述している。米国特許第５,９９６,１７８号に説明されている蝶番装置は、カバーを回転させるのに圧縮ばねからの軸方向力に頼っている。この蝶番装置はきわめて複雑でかなりな数の部品を備えている。この蝶番装置の構成はまた、蝶番装置を設置するのに別の軸方向空間が必要になる。
【０００４】
【発明が解決しようとする課題】
本発明は、カバーを所要の開いた位置または閉じた位置に確実に保持する、少ない数の構成要素部品を備え、構成が簡単な、ＰＤＡまたは類似品のためのカバーに用いる改良された蝶番組立体を提供することを目的としている。
【０００５】
【課題を解決するための手段】
本発明の第１の局面によれば、カバーを装置に接続するための蝶番組立体が提供されており、前記組立体は、片寄せ手段を取付けるよう構成されているボス部材と、前記装置に取付けるよう構成されているカバー接続部材であって、前記片寄せ手段の少なくとも一部と相互作用するよう構成されているカム手段を備えた第１の端部および前記カバーを接続するよう構成された第２の部分を有するカバー接続部材と、を備えている。
【０００６】
好適には、前記片寄せ手段は捻りばねである。
【０００７】
好適には、装置は側壁を有し、カバー接続部材は側壁の孔を通して突出するよう構成されている。
【０００８】
好適には、捻りばねは円形部分および互いに実質的に平行な一対の細長い部分を備えている。円形部分を備えた捻りばねの代わりに楕円形状の部分を備えることもできる。
【０００９】
ボス部材は、好適には本体部分および拡大端部を備えている。捻りばねは、その円形部分がボス部材の本体部分に設置されるようにボス部材に取り付けられるよう構成されている。ボス部材の拡大部分は、捻りばねがボス部材から外れないようにするのに役立つ。
【００１０】
好適には、接続部材手段のカム手段は、第１および第２の対の対向平行表面を備えている。第１および第２の対の対向表面は、互いに垂直であり、好適には各隣接する第１および第２の表面が曲がった接合表面により接合されている。
【００１１】
接続部材の第１の部分は、捻りばねに係合して接続部材が側壁に形成された孔から偶然に外れないようにする手段をも備えている。係合手段は好適には、カム手段に隣接して捻りばねの少なくとも一つの細長い部分に接触し、接続部材が側壁に形成された孔を通して戻らないようにする拡大部分を備えている。
【００１２】
接続部材の第２の部分は好適には、第１および第２の円筒形部分を備えている。装置の側壁に設けられた孔は、好適には接続手段がその中で回転できるように接続手段の前記第１および第２の円筒形部分を受けるよう構成されている。
【００１３】
第１および第２の円筒形部分および孔の構成は、接続部材が全く孔を通過しないようにするよう構成されている。
【００１４】
第１の円筒形部分は、好適にはカム手段に隣接して設置され、その直径は、第２の円筒形部分の直径に比較して小さくなっている。
【００１５】
カバーおよび、接続部材の第２の円筒部分の端部は、カバーが接続部材に接続できるようにする相補形状のコネクタを備えている。相補形状のコネクタは好適には雄形および雌形のコネクタを備えている。雄形コネクタは、好適にはカバーの上に設置され、「十字形」または「一の字形」の断面構成を備えている。カバーにある雄形および雌形のコネクタは好適には、カバーから突出する蝶番部材に形成されている。カバーは好適には、一対の蝶番部材を備え、各蝶番部材は、それに取付けられまたは形成されたコネクタを有し、該コネクタは、装置のそれぞれの側壁に形成されたそれぞれの相補接続部材に受けられるよう構成されている。
【００１６】
ボス部材および接続部材は、好適にはプラスチック材料から作られている。カバーも好適にはプラスチック材料から作られている。
【００１７】
本発明の第２の局面によれば、対向側壁を有する装置と、装置に接続するよう構成されたカバーと、少なくとも一つの蝶番組立体と、を備えている組立体が提供されており、前記少なくとも一つの蝶番組立体は、捻りばねを取付けるよう構成されたボス部材と、前記側壁の一方に取付けるよう構成されたカバー接続部材と、を備え、前記接続部材は、前記捻りばねの少なくとも一部分と相互作用するよう構成されたカム手段を備えている第１の部分および前記カバーを接続するよう構成された第２の部分を有している。
【００１８】
好適には、組立体は一対の蝶番組立体を備えている。
【００１９】
本発明の第３の局面によれば、カバーを装置に接続するための蝶番組立体が提供されており、カバーは、完全に開いた位置と完全に閉じた位置との間を移動するよう構成され、蝶番組立体は、前記カバーを前記装置に接合するよう構成されたカバー接続部材、および前記接続部材の一部と係合して前記カバーを、接続部材の向きにより、前記完全に開いた位置または前記完全に閉じた位置の方に片寄せる片寄せ手段、を備えている。
【００２０】
【発明の実施の形態】
図１は、ＰＤＡ（および他の電気構成要素）および旋回カバー１２を受けるよう構成されている枠１０を示す。枠１０は、ＰＤＡを内部に設置できるように構成された第１および第２の対の対向側壁１４、１６を備えている。ＰＤＡは、固定点１８を通過してＰＤＡの下側に入るよう構成された４個のねじコネクタ（図示せず）により枠１０に固定されるよう構成されている。カバー１２は、一対の蝶番組立体２０により枠１０に蝶番式に接続されるよう構成されている。蝶番組立体２０の構成は図３および図６に最も良く示されている。
【００２１】
各蝶番組立体２０は、主本体２２ａおよび拡大ヘッド２２ｂを有するボス部材２２を備えている。ボス部材２２は、取付け板２４と一体に形成されるか、またはそれに取付けられている。取付け板２４は、第１の側壁１４の一方の内側２６に設置されるよう構成されている。取付け板２４には側壁１４を貫く孔２９と軸方向に整列するよう形成されている円形孔２８がある。
【００２２】
蝶番組立体２０はまた、ボス部材２２およびカバー接続部材３２に取付けられるよう構成された捻りばね３０を備えている。カバー接続部材３２は、カム３６および係合部材３８を組み込む第１の部分３４を備えている。カム３６は、第１および第２の対の対向カム面４０、４２により形成されている。各隣接する第１および第２のカム面４０、４２の間にあるのは曲がった接合表面４４である。カム３６、第１の対の対向カム面４０、第２の対の対向カム面４２、および接合表面４４の機能を下に更に詳細に説明する。
【００２３】
カバー接続部材３２の第２の端部は、第１および第２の円筒形部分４６、４８を備えている。第１の円筒形部分４６は、カム３６に隣接して設置され、その直径は第２の円筒形部分４８の直径と比較して小さい。第１および第２の円筒形部分４６、４８の直径は、それぞれが孔２８、２９に嵌入して接続部材３２が孔２８、２９を内側に完全に通過しないようにし、一方接続部材３２をその中でなおも自由に回転させるようになっている。
【００２４】
捻りばね３０は、円形部分３０ａおよび実質的に互いに平行な一対の細長い部分３０ｂを備えている。捻りばね３０の円形部分３０ａは、ボス部材２２の上方を通過してボス部材２２の主体２２ａに設置できるような大きさになっている。ボス部材２２の拡大ヘッド２２ｂは、捻りばね３０がボス部材２２から偶然に外れないようにする大きさになっている。
【００２５】
蝶番組立体２０を第１の側壁１４に組みつけるには、接続部材３２を最初、それぞれ取付け板２４および側壁１４に形成された軸方向整列孔２８、２９の中に設置しなければならない。接続部材３２を孔２８、２９の中に正しく設置すると、カム３６および係合部材３８が取付け板２４の垂直平面を越えて突出する。捻りばね３０の細長い部分３０ｂはこのときカム３６の対向表面４２に対して突出するように設置される。その後、捻りばね３０の円形部分３０ａがボス部材２２の拡大ヘッド２２ｂの上方に押上げられ、捻りばね３０の円形部分３０ａがボス部材２２の主体２２ａの周りに設置されるようになる。図３は、第１のカム面４０のそれぞれの一つに対して設置された捻りばね３０の細長い部分３０ｂの各々を明瞭に示している。
【００２６】
図４および図５に最も良く示してあるように、カバー１２は、各々がそれに取付けられ、または形成されているコネクタ５２を有する従属蝶番部材５０を備えている。図５に示したように、この実施形態のコネクタ５２は、「一の字」雄形コネクタ５２である。雄形コネクタ５２は、接続部材３２の第２の円筒形部分４８の端面４８ａに形成された相補形状の雌形コネクタ５４の中に受けられるよう構成されている。相補形状の雌形コネクタ５４は図８に最も良く図示されている。
【００２７】
図１に示したように、蝶番組立体２０は、第１の側壁１４の各々の上部分に接続されるよう構成されている。蝶番部材５０の付いたカバー１２を次に、雄形コネクタ５２がそれぞれの側壁１４の上方を通るように蝶番部材５０の各々を外側に曲げることにより枠１０に接続する。雄形コネクタ５２を次にそのそれぞれの接続部材３２の端面４８ａに形成されたそのそれぞれの雌形コネクタ５４の中に設置する。図３は、一つの蝶番部材５０のそのそれぞれの蝶番組立体２０への接続を示している。カバー１２は、図３に示したように、閉じた位置にある。
【００２８】
カバー１２が閉じた位置にあるとき、捻りばね３０の細長い部分３０ｂはカム３６のそれぞれの第１の表面４０に接触し、カム３６は、水平に対してほぼ３０度の所定角度にある。これを図８に最も良く示してある。
【００２９】
ユーザがカバー１２を回転して開いたまたは使用時位置に移動させると、雄形コネクタ５２と接続部材３２との間の係合により接続部材３２が孔２８、２９の中で回転する。この事象が発生するにつれて、カム３６のカム面４０の第１の対も回転する。しかし、接続部材３２のこの回転移動は、捻りばね３０の細長い部分３０ｂと第１の対のカム面４０との間の接触により阻止される。したがって、捻りばね３０によるこの阻止によりカバー１２が閉じた位置に戻る傾向がある。このためカバー１２に対する「自動閉鎖」特徴が得られる。カバー１２が使用時位置の方に続いて回転すると、この阻止に打ち勝って捻りばね３０の細長い部分３０ｂがカム３６の曲がった接合面４４と接触し始めるようになる。この事象が発生するとき、カム３６が中立位置またはトグル位置に達したという。カバー１２をこのとき更に使用時位置の方に回転させれば、接続部材３２も、捻りばね３０の細長い部分３０ｂがカム３６の第２の対のカム面４２と接触するまで、回転する。捻りばね３０の細長い部分３０ｂがカム３６の第２の対のカム面４２と接触すると、カバー１２は、開いたまたは使用時位置に敏速に移動する。これにより「自動開放」特徴を有するカバー１２が生ずる。
【００３０】
図１１に最も良く示したように、枠１０の側壁１４の外側にストッパ６０が設けられている。ストッパ６０は、カバー１２が水平から１２０度の傾斜に達したら、カバー１２が移動しないように、カバー１２の一部１２ｄと係合するよう構成されている。ストッパ６０がカバー１２のそれ以上の旋回移動を阻止するので、捻りばね３０の抵抗力がカバー１２を更に開こうとし、それによりカバー１２が開いたまたは使用時位置にしっかり保持される。
【００３１】
上の説明から、カム３６の構成およびその、捻りばね３０の細長い部分３０ｂとの関係が、捻りばね３０がカム３６および接続されたカバー１２を、カバー１２が中立位置またはトグル位置を過ぎて回転するまで閉じた位置に保持する傾向があるようになっていることが認識されよう。カバー１２の回転を、カム３６が中立位置またはトグル位置に達する前に停止させれば、カバー１２は、閉じた位置に敏速に移動する。しかし、カバー１２をこの中立位置またはトグル位置を過ぎて回転させると、捻りばね３０の細長い部分３０ｂが第２のカム面４２と接触し、したがってカバー１２が完全に開いた位置まで持ち上げられる。カバー１２は捻りばね３０の作用により完全に開いた位置または使用時位置に保持されることになる。
【００３２】
本発明の特に好適な実施形態では、カバー１２を水平に対してほぼ１２０度の角度に完全に開くことができる。カム３６の中立位置またはトグル位置は、第１の対の対向表面４０が水平に対して９０度の角度にあるとき生ずる。これを図１０に最も良く示してある。
【００３３】
カバー１２を開いたとき所要の触覚を得るためには、または換言すれば所要の開きの滑らかさを達成するためには、図９に最も良く示したカム比率を好適には
Ｌ/Ｂ＝３.４/１.３＝２.６
とすべきである。
【００３４】
上述の蝶番組立体２０は、構造が簡単で且つ極小数の構成要素部品を使用しているので、有利であると考えられる。更に、この種の蝶番組立体を備えてもＰＤＡ枠の軸方向寸法が増大しない。これは、ＰＤＡとカバーとの組合せの大きさを可能なかぎり小さく維持できるようにするのに極めて重要である。
【００３５】
本発明の一実施形態の蝶番組立体２０は、それによりカバー１２を閉じた位置または開いた位置に維持できる確実な方法を与え、カバーを所要位置に確実に維持するのために別のロックまたは留め具を必要としない。更に、蝶番組立体２０は、軽量のプラスチック材料から作られ、したがって装置の全体の重量を大幅に増大させることはない。
【００３６】
当業者は、カバー１２の雄形コネクタ５２が「一の字形」構成を有するとして説明したが、他の構成が考えられることを認識するであろう。たとえば、コネクタ５２は「十字形」または「星形」の構成を採用できる。また、蝶番部材５０のコネクタ５２を接続部材３２に形成された雄形コネクタ５４を受けるよう構成された雌形コネクタとして良いことが考えられる。コネクタ５２の構成に加えられる唯一つの制限は、コネクタ５２がカバー１２の回転移動により接続部材３２の回転移動が生ずるように接続部材３２の相補形状コネクタと正しく係合しなければならないということである。
【００３７】
当業者はまた、蝶番部材５０を十分柔軟にして、コネクタ５２が側壁１４の上方を通過でき、次いで接続部材３２に形成された相補形状コネクタ５４の中に設置できるように外側に曲がることができなければならないことを認識するであろう。
【００３８】
前に説明した蝶番組立体をプラグアンドプレイ用（差し込んだら直ぐに使えるように）に修正できることが考えられている。図１２に示したように、このようなプラグアンドプレイ組立体１００は、取付け板２４'、ボス部材２２'、捻りばね３０'、およびカバー接続部材３２'を備えている。これら構成要素を、簡単に枠１０'に差し込み、または差し入れるように予め組立る。枠１０'は取付け板２４'を受け、これと係合する形状の、適切な位置に形成された溝１０５または孔を備えている。
【００３９】
ここに説明した実施形態は好適であるが、本明細書から、当業者が作成する種々の代案、修正案、変体、または改良案が「特許請求の範囲」により規定されている本発明の範囲内にあることが認識されるであろう。
【００４０】
なお、この発明は例として次の実施態様を含む。
【００４１】
[1] カバーを装置に接続するための蝶番組立体において、片寄せ手段を取付けるよう構成されているボス部材と、前記装置に回転可能に取付けるよう構成され、前記片寄せ手段の少なくとも一部と相互作用するよう構成されたカム手段を備えている第１の端部および前記カバーを接続するよう構成された第２の部分を有するカバー接続部材と、を備えたことを特徴とするもの。
【００４２】
[2] 上記[1]に記載の蝶番組立体において、前記片寄せ手段が捻りばねを備えていることを特徴とするもの。
【００４３】
[3] 上記[2]に記載の蝶番組立体において、前記装置が側壁を備え、前記カバー接続部材が前記側壁の孔を通して突出していることを特徴とするもの。
【００４４】
[4] 上記[2]に記載の蝶番組立体において、前記捻りばねが円形部分と、互いに実質的に平行な一対の細長い部分とを備えていることを特徴とするもの。
【００４５】
[5] 上記[4]に記載の蝶番組立体において、前記ボス部材が本体部分および拡大端部を備え、前記捻りばねが、その円形部分が前記ボス部材の前記本体部分に設置されるように、前記ボス部材に取付けられるよう構成されている、ことを特徴とするもの。
【００４６】
[6] 上記[1]に記載の蝶番組立体において、前記接続部材手段の前記カム手段が第１および第２の対を成す対向平行表面を備えていることを特徴とするもの。
【００４７】
[7] 上記[6]に記載の蝶番組立体において、前記第１および第２の対の対向表面が互いに垂直であることを特徴とするもの。
【００４８】
[8] 上記[6]に記載の蝶番組立体において、各隣接する第１および第２の表面が曲がった接合表面により接合されていることを特徴とするもの。
【００４９】
[9] 上記[2]に記載の蝶番組立体において、前記接続部材の前記第１の部分が、前記接続部材が前記側壁に形成された孔から偶然に外れないようにするために前記捻りばねに係合する手段をも備えていることを特徴とするもの。
【００５０】
[10] 上記[9]に記載の蝶番組立体において、前記係合手段が、前記カム手段に隣接して前記接続部材が前記側壁に形成された孔を通して戻らないようにするように前記捻りばねの一部に接触するよう構成された拡大部分を備えていることを特徴とするもの。
【００５１】
[11] 上記[1]に記載の蝶番組立体において、前記接続部材の第２の部分が第１および第２の円筒形部分を備えていることを特徴とするもの。
【００５２】
[12] 上記[10]に記載の蝶番組立体において、前記装置の側壁に設けられた孔が前記接続部材の前記第１および第２の円筒形部分を受けるよう構成され、前記接続部材がその中で回転できるようにされていることを特徴とするもの。
【００５３】
[13] 上記[11]に記載の蝶番組立体において、前記第１の円筒形部分がカム手段に隣接して設置されていることを特徴とするもの。
【００５４】
[14] 上記[11]に記載の蝶番組立体において、前記第１の円筒形部分の直径が前記第２の円筒形部分の直径と比較して小さいことを特徴とするもの。
【００５５】
[15] 上記[11]に記載の蝶番組立体において、前記カバーおよび、前記接続部材の前記第２の円筒形部分端部が、前記カバーを前記接続部材に接続できるようにする相補形状コネクタを備えていることを特徴とするもの。
【００５６】
[16] 上記[15]に記載の蝶番組立体において、前記相補形状コネクタが雄形および雌形のコネクタを備えていることを特徴とするもの。
【００５７】
[17] 上記[16]に記載の蝶番組立体において、前記雄型コネクタが前記カバーに設置され、「十字形」まは「一の字形」の断面構成を採用していることを特徴とするもの。
【００５８】
[18] 上記[15]に記載の蝶番組立体において、前記カバーにある前記コネクタは、前記カバーから突出している蝶番部材に設置されていることを特徴とするもの。
【００５９】
[19] 上記[1]に記載の蝶番組立体において、前記ボス部材および前記接続部材がプラスチック材料から作られていることを特徴とするもの。
【００６０】
[20] 対向側壁を有する装置、前記装置に接続するよう設置されているカバーと、少なくとも一つの蝶番組立体とを備えている組立体において、前記少なくとも一つの蝶番組立体が、捻りばねを取付けるよう構成されているボス部材と、前記側壁の一方に取付けるよう構成され、前記捻りばねの少なくとも一部と相互作用するよう構成されたカム手段を備えている第１の部分および前記カバーを接続するよう構成されている第２の部分を有するカバー接続部材と、を備えていることを特徴とするもの。
【００６１】
[21] 上記[20]に記載の組立体において、一対の蝶番組立体を備えていることを特徴とするもの。
【００６２】
[22] カバーを装置に接続するための蝶番組立体において、前記カバーは完全に開いた位置と完全に閉じた位置との間を移動するよう構成され、前記蝶番組立体は、前記カバーを前記装置に接合するよう構成されたカバー接続部材、および前記接続部材の一部と係合して前記カバーを、前記接続部材の向きにより、前記完全に開いた位置または前記完全に閉じた位置のいずれかの方に片寄せるよう設置されている片寄せ手段を備えている、ことを特徴とするもの。
【００６３】
[23] 上記[22]に記載の蝶番組立体において、前記接続部材がカム手段を備え、前記片寄せ手段がそれと係合するよう構成されていることを特徴とするもの。
【００６４】
[24] 上記[23]に記載の蝶番組立体において、前記片寄せ手段が捻りばねを備えていることを特徴とするもの。
【００６５】
[25] 上記[1]に記載の蝶番組立体において、前記カム手段が中立位置またはトグル位置を備え、前記カム手段が中立位置またはトグル位置を越えて回転すれば、前記カバー接続手段が前記カバーを完全に開いた位置に移動させるようになっていることを特徴とするもの。
【００６６】
[26] 上記[25]に記載の蝶番組立体において、前記カム手段の前記中立位置またはトグル位置が、前記カム手段のカム面が水平に対してほぼ９０度の角度に設置されたとき生ずることを特徴とするもの。
【００６７】
[27] 上記[25]に記載の蝶番組立体において、前記カバーが完全に開いた位置にあるとき、前記カバーが水平に対してほぼ１２０度の角度にあることを特徴とするもの。
【００６８】
[28] 上記[22]に記載の蝶番組立体において、前記対向側壁の少なくとも一方に取付けられ、前記カバーが、必要な完全に開いた位置に到達したら、移動しないようにするストッパを備えていることを特徴とするもの。
【００６９】
[29] 上記[22]に記載の蝶番組立体において、前記装置を保持するよう設けられた枠の側壁に形成された孔に取付けられるよう構成されていることを特徴とするもの。
【図面の簡単な説明】
【図１】ＰＤＡの枠およびそれに取付ける前のカバーの斜視図である。
【図２】ＰＤＡに取付けられ、閉じた位置にあるカバーの斜視図である。
【図３】図２に示した円形部分の拡大図である。
【図４】図１に示したカバーの斜視図である。
【図５】図４に示した円形部分の拡大図である。
【図６】接続部材、捻りばね、およびＰＤＡ枠の一部を示す組立図である。
【図７】カバーの雄形接続を取付けるよう構成されている雌形接続を示す接続部材の端面図である。
【図８】カバーが閉じた位置にあるときのカムの角位置の詳細図である。
【図９】カムの第１および第２のカム面の好適比率の詳細を示す参考図である。
【図１０】カバーが完全に開いた位置にあるときのカムの角位置の詳細を示す。
【図１１】枠の部分側面図であり、ストッパを示す。
【図１２】蝶番組立体の「プラグアンドプレイ」実施形態の詳細を示す。
【符号の説明】
１２  カバー
１４  側壁
１６  側壁
２０  蝶番組立体
２２  ボス
２２ｂ  ボスの拡大部分
２８  孔
３０  捻りばね
３０ａ  捻りばねの円形部分
３０ｂ  捻りばねの細長い部分
３２  カバー接続部材
３６  カム
４０  カムの平行表面
４２  カムの平行表面
４４  曲がった接合面
４６  カバー接続部材の円筒形部分
４８  カバー接続部材の円筒形部分
６０  ストッパ
【図１】
0004071528.tif 000002
【図２】
0004071528.tif 000003
【図３】
0004071528.tif 000004
【図４】
0004071528.tif 000005
【図５】
0004071528.tif 000006
【図６】
0004071528.tif 000007
【図７】
0004071528.tif 000008
【図８】
0004071528.tif 000009
【図９】
0004071528.tif 000010
【図１０】
0004071528.tif 000011
【図１１】
0004071528.tif 000012
【図１２】
0004071528.tif 000013